(57)【要約】【課題】ＳＩＭ（Ｓｕｂｓｃｒｉｂｅｒ  Ｉｄｅｎｔｉｔｙ  Ｍｏｄｕｌｅ）カードのＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）と端末機に既に保存されたＩＭＳＩとを比較し、比較の結果によって端末機の初期化時間を短縮してユーザの利便性を向上させる移動通信端末機の初期化装置及び方法を提供する。【解決手段】移動通信端末機の初期化方法は、ＳＩＭカードに保存された第１情報と端末機の保存装置に既に保存された第２情報とが一致するか否かを確認した後、前記第１情報と前記第２情報とが一致すると、前記端末機の保存装置に保存された端末機の初期化に関する第４情報を利用して端末機を初期化する段階を含む。【選択図】図２
2006157913.tif 000002
【特許請求の範囲】
【請求項１】
ＳＩＭカードに保存された第１情報と端末機の保存装置に既に保存された第２情報とが一致するか否かを確認した後、前記第１情報と前記第２情報とが一致すると、前記端末機の保存装置に保存された端末機の初期化に関する第４情報を利用して端末機を初期化することを特徴とする移動通信端末機。
【請求項２】
前記第１情報と前記第２情報とが一致しないと、前記ＳＩＭカードに保存された端末機の初期化に関する第３情報を読み出して、前記端末機の保存装置に保存された端末機の初期化に関する第４情報をアップデートした後、前記アップデートされた第４情報を利用して端末機を初期化することを特徴とする請求項１に記載の移動通信端末機。
【請求項３】
前記端末機が、前記第１情報及び前記第２情報に含まれた固有番号を用いて、前記第１情報と前記第２情報とが一致するか否かを確認することを特徴とする請求項１に記載の移動通信端末機。
【請求項４】
前記固有番号が、ＭＳＩＮであることを特徴とする請求項３に記載の移動通信端末機。
【請求項５】
前記第１情報及び前記第２情報が、ＩＭＳＩを含むことを特徴とする請求項１に記載の移動通信端末機。
【請求項６】
前記第４情報が、電話帳、ＳＭＳ、位置、暗号化キーなどを含むユーザデータであることを特徴とする請求項１に記載の移動通信端末機。
【請求項７】
前記端末機が、前記第１情報及び前記第２情報を確認した後、端末機を初期化することを特徴とする請求項１に記載の移動通信端末機。
【請求項８】
前記保存装置が、電源が遮断されても保存された情報が消滅しない装置であることを特徴とする請求項１に記載の移動通信端末機。
【請求項９】
前記保存装置が、フラッシュメモリ又はＮｖｒａｍを含むことを特徴とする請求項１に記載の移動通信端末機。
【請求項１０】
前記保存装置は、端末機が非活性化されると、保存された情報を前記ＳＩＭカードに伝送することを特徴とする請求項１に記載の移動通信端末機。
【請求項１１】
ＳＩＭカードに保存された第１情報と端末機の保存装置に既に保存された第２情報とが一致するか否かを確認した後、前記第１情報と前記第２情報とが一致すると、前記端末機の保存装置に保存された端末機の初期化に関する第４情報を利用して端末機を初期化する段階を含むことを特徴とする移動通信端末機の初期化方法。
【請求項１２】
前記第１情報と前記第２情報とが一致しないと、前記ＳＩＭカードに保存された端末機の初期化に関する第３情報を読み出して、前記端末機の保存装置に保存された端末機の初期化に関する第４情報をアップデートした後、前記アップデートされた第４情報を利用して端末機を初期化することを特徴とする請求項１１に記載の移動通信端末機の初期化方法。
【請求項１３】
前記端末機が、前記第１情報及び前記第２情報に含まれた固有番号を用いて、前記第１情報と前記第２情報とが一致するか否かを確認することを特徴とする請求項１１に記載の移動通信端末機の初期化方法。
【請求項１４】
前記固有番号が、ＭＳＩＮであることを特徴とする請求項１１に記載の移動通信端末機の初期化方法。
【請求項１５】
前記第１情報及び前記第２情報が、ＩＭＳＩを含むことを特徴とする請求項１１に記載の移動通信端末機の初期化方法。
【請求項１６】
前記第４情報が、電話帳、ＳＭＳ、位置、暗号化キーなどを含むユーザデータであることを特徴とする請求項１１に記載の移動通信端末機の初期化方法。
【請求項１７】
前記端末機が、前記第１情報及び前記第２情報を確認した後、端末機を初期化することを特徴とする請求項１１に記載の移動通信端末機の初期化方法。
【請求項１８】
前記保存装置が、電源が遮断されても保存された情報が消滅しない装置であることを特徴とする請求項１１に記載の移動通信端末機の初期化方法。
【請求項１９】
前記保存装置が、フラッシュメモリ又はＮｖｒａｍを含むことを特徴とする請求項１１に記載の移動通信端末機の初期化方法。
【請求項２０】
前記保存装置は、端末機が非活性化されると、保存された情報を前記ＳＩＭカードに伝送することを特徴とする請求項１１に記載の移動通信端末機の初期化方法。
【請求項２１】
前記端末機は、所定の入力が発生すると、前記第４情報をアップデートすることを特徴とする請求項１２に記載の移動通信端末機の初期化方法。
【請求項２２】
前記所定の入力が、インターネット、データ通信、ビデオ通話、ブルートゥースのような通信により発生することを特徴とする請求項２１に記載の移動通信端末機の初期化方法。
【請求項２３】
前記所定の入力は、前記保存された第２情報が修正されると発生することを特徴とする請求項２２に記載の移動通信端末機の初期化方法。
【発明の詳細な説明】
【技術分野】
【０００１】
本発明は、移動通信端末機の初期化装置及び方法に関し、特に、初期化時間を短縮できる移動通信端末機の初期化装置及び方法に関する。
【背景技術】
【０００２】
一般に、ＧＳＭ（Ｇｌｏｂａｌ  Ｓｙｓｔｅｍ  ｆｏｒ  Ｍｏｂｉｌｅ）端末機は、ＳＩＭ（Ｓｕｂｓｃｒｉｂｅｒ  Ｉｄｅｎｔｉｔｙ  Ｍｏｄｕｌｅ）カードを使用して、国際ローミングサービスをサポートする。前記ＳＩＭカードは、個人の移動性を提供するための一種のスマートカードであって、ユーザは、ＳＩＭカードを使用して、自分の端末機でない他の端末機で通信を行うことができる。
【０００３】
国際ローミングサービスをサポートするために、ＧＳＭ端末機（以下、端末機と称する）は、ユーザを認証するためのＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）及びユーザデータが保存されたＳＩＭカードを使用する。
【０００４】
前記ＩＭＳＩは、２バイトで構成され、国家情報である３ビットのＭＣＣ（Ｍｏｂｉｌｅ  Ｃｏｕｎｔｒｙ  Ｃｏｄｅ）と、サービス事業者情報である２ビット又は３ビットのＭＮＣ（Ｍｏｂｉｌｅ  Ｎｅｔｗｏｒｋ  Ｃｏｄｅ）と、ＳＩＭカードの固有番号を示す１０ビット又は１１ビットのＭＳＩＮ（Ｍｏｂｉｌｅ  Ｓｕｂｓｃｒｉｂｅｒ  Ｉｄｅｎｔｉｆｉｃａｔｉｏｎ  Ｎｕｍｂｅｒ）とから構成される。
【０００５】
前記ＳＩＭカードに保存されたユーザデータは、ユーザ、事業者、暗号化キー、位置、電話帳などの情報を含む。ユーザによりＳＩＭカードが端末機に装着されると、ＳＩＭカードは、ユーザデータを端末機に伝送し、ユーザの通話関連動作により前記端末機に伝送されたユーザデータが修正されると、前記端末機は、前記修正されたユーザデータを前記ＳＩＭカードに伝送してＳＩＭカードのユーザデータをアップデートする。
【０００６】
表１はＳＩＭカードに保存されたユーザデータの情報を示す。
【０００７】
【表１】
2006157913.tif 000003
以下、一般の移動通信端末機の初期化方法について図３を参照して説明する。
【０００８】
図３は一般の移動通信端末機の初期化方法を示すフローチャートである。
【０００９】
ユーザが、ＩＭＳＩ、及びユーザ、事業者、暗号化キー、位置、電話帳などを含むユーザデータが保存されたＳＩＭカードを端末機に装着した後、端末機を活性化（例えば、パワーオン）すると、端末機は、ＳＩＭカードが正常に動作するか否かを確認する（Ｓ１００、Ｓ１０２、Ｓ１０４）。確認の結果、ＳＩＭカードが正常に動作すると、端末機は、ＳＩＭカードからＩＭＳＩ及びユーザデータを抽出した後、抽出したＩＭＳＩ及びユーザデータをキャッシュメモリに保存し、前記装着されたＳＩＭカードを用いて通信できるように端末機自体を初期化する（Ｓ１０６）。前記ＩＭＳＩ及びユーザデータがキャッシュメモリに保存された後、ユーザが通話関連動作を行うと、端末機は、通話に必要なＩＭＳＩ及びユーザデータにアクセスするためにキャッシュメモリに接続する（Ｓ１０８）。ユーザの通話関連動作が行われているとき、キャッシュメモリからユーザデータを読み出したり修正したりする過程が繰り返され、ユーザの通話関連動作が終了すると、最終的に修正されたユーザデータがキャッシュメモリに保存される（Ｓ１１０、Ｓ１１２）。
【００１０】
その後、ユーザが使用していた端末機を非活性化（例えば、パワーオフ）すると、端末機は、キャッシュメモリの最終的に修正されたユーザデータをＳＩＭカードに伝送し、ＳＩＭカードは、既に保存されたユーザデータを受信されたユーザデータにアップデートする（Ｓ１１４、Ｓ１１６）。
【００１１】
しかしながら、一般の端末機は、ＩＭＳＩがキャッシュメモリに一時的に保存されるので、端末機が活性化する毎にＳＩＭカードに保存されたＩＭＳＩをキャッシュメモリに保存する過程を繰り返すため、端末機を使用するためには初期化時間だけ待たなければならないという問題があった。
【発明の開示】
【発明が解決しようとする課題】
【００１２】
本発明は、このような問題を解決するためになされたもので、ＳＩＭカードのＩＭＳＩと端末機に既に保存されたＩＭＳＩとを比較し、比較の結果によって端末機の初期化時間を短縮してユーザの利便性を向上させる移動通信端末機の初期化装置及び方法を提供することを目的とする。
【課題を解決するための手段】
【００１３】
上記の目的を達成するために、本発明による移動通信端末機は、ＳＩＭカードに保存された第１情報と端末機の保存装置に既に保存された第２情報とが一致するか否かを確認した後、前記第１情報と前記第２情報とが一致すると、前記端末機の保存装置に保存された端末機の初期化に関する第４情報を利用して端末機を初期化することを特徴とする。
【００１４】
また、上記の目的を達成するために、本発明による移動通信端末機の初期化方法は、ＳＩＭカードに保存された第１情報と端末機の保存装置に既に保存された第２情報とが一致するか否かを確認した後、前記第１情報と前記第２情報とが一致すると、前記端末機の保存装置に保存された端末機の初期化に関する第４情報を利用して端末機を初期化する段階を含むことを特徴とする。
【００１５】
好ましくは、前記保存装置は、電源が遮断されても保存された情報が消滅しない装置であることを特徴とする。
【００１６】
上記目的を達成するために、本発明は、例えば、以下の手段を提供する。
（項目１）
ＳＩＭカードに保存された第１情報と端末機の保存装置に既に保存された第２情報とが一致するか否かを確認した後、前記第１情報と前記第２情報とが一致すると、前記端末機の保存装置に保存された端末機の初期化に関する第４情報を利用して端末機を初期化することを特徴とする移動通信端末機。
（項目２）
前記第１情報と前記第２情報とが一致しないと、前記ＳＩＭカードに保存された端末機の初期化に関する第３情報を読み出して、前記端末機の保存装置に保存された端末機の初期化に関する第４情報をアップデートした後、前記アップデートされた第４情報を利用して端末機を初期化することを特徴とする項目１に記載の移動通信端末機。
（項目３）
前記端末機が、前記第１情報及び前記第２情報に含まれた固有番号を用いて、前記第１情報と前記第２情報とが一致するか否かを確認することを特徴とする項目１に記載の移動通信端末機。
（項目４）
前記固有番号が、ＭＳＩＮであることを特徴とする項目３に記載の移動通信端末機。
（項目５）
前記第１情報及び前記第２情報が、ＩＭＳＩを含むことを特徴とする項目１に記載の移動通信端末機。
（項目６）
前記第４情報が、電話帳、ＳＭＳ、位置、暗号化キーなどを含むユーザデータであることを特徴とする項目１に記載の移動通信端末機。
（項目７）
前記端末機が、前記第１情報及び前記第２情報を確認した後、端末機を初期化することを特徴とする項目１に記載の移動通信端末機。
（項目８）
前記保存装置が、電源が遮断されても保存された情報が消滅しない装置であることを特徴とする項目１に記載の移動通信端末機。
（項目９）
前記保存装置が、フラッシュメモリ又はＮｖｒａｍを含むことを特徴とする項目１に記載の移動通信端末機。
（項目１０）
前記保存装置は、端末機が非活性化されると、保存された情報を前記ＳＩＭカードに伝送することを特徴とする項目１に記載の移動通信端末機。
（項目１１）
ＳＩＭカードに保存された第１情報と端末機の保存装置に既に保存された第２情報とが一致するか否かを確認した後、前記第１情報と前記第２情報とが一致すると、前記端末機の保存装置に保存された端末機の初期化に関する第４情報を利用して端末機を初期化する段階を含むことを特徴とする移動通信端末機の初期化方法。
（項目１２）
前記第１情報と前記第２情報とが一致しないと、前記ＳＩＭカードに保存された端末機の初期化に関する第３情報を読み出して、前記端末機の保存装置に保存された端末機の初期化に関する第４情報をアップデートした後、前記アップデートされた第４情報を利用して端末機を初期化することを特徴とする項目１１に記載の移動通信端末機の初期化方法。
（項目１３）
前記端末機が、前記第１情報及び前記第２情報に含まれた固有番号を用いて、前記第１情報と前記第２情報とが一致するか否かを確認することを特徴とする項目１１に記載の移動通信端末機の初期化方法。
（項目１４）
前記固有番号が、ＭＳＩＮであることを特徴とする項目１１に記載の移動通信端末機の初期化方法。
（項目１５）
前記第１情報及び前記第２情報が、ＩＭＳＩを含むことを特徴とする項目１１に記載の移動通信端末機の初期化方法。
（項目１６）
前記第４情報が、電話帳、ＳＭＳ、位置、暗号化キーなどを含むユーザデータであることを特徴とする項目１１に記載の移動通信端末機の初期化方法。
（項目１７）
前記端末機が、前記第１情報及び前記第２情報を確認した後、端末機を初期化することを特徴とする項目１１に記載の移動通信端末機の初期化方法。
（項目１８）
前記保存装置が、電源が遮断されても保存された情報が消滅しない装置であることを特徴とする項目１１に記載の移動通信端末機の初期化方法。
（項目１９）
前記保存装置が、フラッシュメモリ又はＮｖｒａｍを含むことを特徴とする項目１１に記載の移動通信端末機の初期化方法。
（項目２０）
前記保存装置は、端末機が非活性化されると、保存された情報を前記ＳＩＭカードに伝送することを特徴とする項目１１に記載の移動通信端末機の初期化方法。
（項目２１）
前記端末機は、所定の入力が発生すると、前記第４情報をアップデートすることを特徴とする項目１２に記載の移動通信端末機の初期化方法。
（項目２２）
前記所定の入力が、インターネット、データ通信、ビデオ通話、ブルートゥースのような通信により発生することを特徴とする項目２１に記載の移動通信端末機の初期化方法。
（項目２３）
前記所定の入力は、前記保存された第２情報が修正されると発生することを特徴とする項目２２に記載の移動通信端末機の初期化方法。
【発明の効果】
【００１７】
本発明による移動通信端末機の初期化装置及び方法は、ＳＩＭカードのＩＭＳＩと端末機に既に保存されたＩＭＳＩとの比較結果によって、端末機の初期化時間を短縮することができるため、ユーザに利便性を提供するという効果がある。
【発明を実施するための最良の形態】
【００１８】
以下、添付の図面を参照して本発明の好ましい実施形態を説明する。
【００１９】
本発明の基本概念は、端末機が活性化される時点で、端末機に既に保存されたＩＭＳＩとＳＩＭカードに保存されたＩＭＳＩとを比較し、比較の結果によって異なる処理方法を用いて端末機の初期化時間を短縮することにより、ユーザに利便性を提供するというものである。
【００２０】
図１は本発明による移動通信端末機の初期化装置の構成を示すブロック図である。
【００２１】
図１に示すように、本発明による移動通信端末機の初期化装置１００は、ＵＩ（Ｕｓｅｒ  Ｉｎｔｅｒｆａｃｅ）モジュール１１０と、制御部１２０と、保存装置１３０とを含む。
【００２２】
ＳＩＭカード１４０は、ＩＭＳＩ、及び前記表１に示すようなユーザ、事業者、暗号化キー、位置、電話帳などを含むユーザデータを保存している。
【００２３】
保存装置１３０は、端末機が活性化されると、ＳＩＭカード１４０に保存されたＩＭＳＩ及びユーザデータを保存し、端末機が非活性化されると、保存しているユーザデータをＳＩＭカード１４０に伝送する。保存装置１３０は、消費電力が少なく、電源をオフにしても保存されたデータが消えずに維持される特性を有する不揮発性保存装置であって、フラッシュメモリ、Ｎｖｒａｍ（Ｎｏｎｖｏｌａｔｉｌｅ  ｒａｎｄｏｍ  ａｃｃｅｓｓ  ｍｅｍｏｒｙ）などである。
【００２４】
また、制御部１２０は、端末機の活性化／非活性化によって、ＳＩＭカード１４０と保存装置１３０間のデータの入出力を制御し、ＵＩモジュール１１０は、ユーザの通話サービスのためのキーの入力によって、制御部１２０にＩＭＳＩを要求又は伝送する。
【００２５】
以下、このような本発明による移動通信端末機の初期化装置をより詳しく説明する。
【００２６】
ユーザが、ＩＭＳＩ、及びユーザ、事業者、暗号化キー、位置、電話帳などを含むユーザデータが保存されたＳＩＭカード１４０を端末機に装着した後、端末機を活性化（パワーオン）すると、制御部１２０は、ＳＩＭカード１４０から前記ＩＭＳＩ及びユーザデータを読み出した後、読み出したＩＭＳＩを保存装置１３０に保存する。
【００２７】
ユーザが通話関連動作を行うと、制御部１２０は、その動作に必要なＩＭＳＩにアクセスするために保存装置１３０に接続し、前記の動作が行われているとき、制御部１２０は、保存装置１３０からＩＭＳＩを読み出したり修正する過程を繰り返す。このようにして修正されたＩＭＳＩは保存装置１３０に保存される。
【００２８】
また、ユーザが端末機を非活性化（パワーオフ）すると、制御部１２０は、非活性化を認識した後、保存装置１３０に保存された前記修正されたＩＭＳＩをＳＩＭカード１４０に伝送し、保存装置１３０に保存されたＩＭＳＩは消滅せずに残る。
【００２９】
以下、本発明による移動通信端末機の初期化装置の動作について図１及び図２を参照して説明する。
【００３０】
図２は本発明による移動通信端末機の初期化方法を示すフローチャートである。
【００３１】
ユーザがＳＩＭカードを端末機に装着した後、端末機の電源をオンにして端末機を活性化させる（Ｓ２００、Ｓ２０２）。端末機が活性化されると、制御部は、装着されたＳＩＭカードが正常に動作するか否かを確認し、確認の結果、正常に動作すると、端末機内部の保存装置（例えば、フラッシュメモリ、Ｎｖｒａｍ）に保存されたＩＭＳＩのＭＣＣ、ＭＮＣ、ＭＳＩＮとＳＩＭカードに保存されたＩＭＳＩのＭＣＣ、ＭＮＣ、ＭＳＩＮとが同一であるか否かを比較する（Ｓ２０４、Ｓ２０６）。
【００３２】
比較の結果、両方のＩＭＳＩが一致しないと、制御部は、ＳＩＭカードに保存されたＩＭＳＩ及びユーザデータを端末機の保存装置に保存し、前記装着されたＳＩＭカードを用いて通信できるように端末機の初期化過程を完了する（Ｓ２０８、Ｓ２１０、Ｓ２１２）。
【００３３】
それに対して、前記比較の結果、両方のＩＭＳＩが一致すると、ＳＩＭカードに保存されたユーザデータが既に端末機の保存装置に保存されているため、制御部は、ＳＩＭカードのユーザデータを保存装置に保存することなく、直ちに端末機の初期化過程を完了する（Ｓ２０８、Ｓ２１２）。
【００３４】
初期化過程が完了した後、ユーザにより端末機の通話関連動作が行われると、制御部は、前記の動作に必要なユーザデータにアクセスするために保存装置に接続する（Ｓ２１４）。ユーザの通話関連動作により保存装置からユーザデータを読み出したり修正する過程が繰り返され、結局、ユーザの通話関連動作が終了すると、最終的に修正されたユーザデータが保存装置に保存される（Ｓ２１６、Ｓ２１８）。
【００３５】
その後、ユーザがユーザデータを利用して一定の目的を行った後に端末機を非活性化すると（即ち、電源を遮断すると）、制御部は、保存装置に保存されたユーザデータをＳＩＭカードに伝送してユーザデータをアップデートする（Ｓ２２０、Ｓ２２２）。また、前記保存装置に保存されたユーザデータは、同一のＳＩＭカードが装着される場合に初期化時間を短縮するため、消滅せずに保存される。
【００３６】
以上説明したように、本発明は、端末機の初期化時点で、端末機の保存装置に既に保存されたＩＭＳＩと端末機に装着されたＳＩＭカードのＩＭＳＩとを比較して、両方のＩＭＳＩが一致しないと、ＳＩＭカードのユーザデータを端末機の保存装置に保存した後に初期化過程を完了し、両方のＩＭＳＩが一致すると、ＳＩＭカードのユーザデータを端末機の保存装置に保存することなく初期化過程を完了するため、端末機の初期化時間を短縮するだけでなく、前記ユーザデータを端末機の保存装置とＳＩＭカードとのインターフェースにより読み出し及び／又はアップデートを行うことができる。
【００３７】
また、前述したような本発明は、音声通話だけでなく、インターネット、データ通信、ビデオ通話、ブルートゥースのような通信においても適用することができる。
【００３８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００３９】
ＳＩＭ（Ｓｕｂｓｃｒｉｂｅｒ  Ｉｄｅｎｔｉｔｙ  Ｍｏｄｕｌｅ）カードのＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）と端末機に既に保存されたＩＭＳＩとを比較し、比較の結果によって端末機の初期化時間を短縮してユーザの利便性を向上させる移動通信端末機の初期化装置及び方法を提供する。
【００４０】
移動通信端末機の初期化方法は、ＳＩＭカードに保存された第１情報と端末機の保存装置に既に保存された第２情報とが一致するか否かを確認した後、前記第１情報と前記第２情報とが一致すると、前記端末機の保存装置に保存された端末機の初期化に関する第４情報を利用して端末機を初期化する段階を含む。
【図面の簡単な説明】
【００４１】
【図１】本発明による移動通信端末機の初期化装置の構成を示すブロック図である。
【図２】本発明による移動通信端末機の初期化方法を示すフローチャートである。
【図３】一般の移動通信端末機の初期化方法を示すフローチャートである。
【符号の説明】
【００４２】
１１０  ＵＩモジュール
１２０  制御部
１３０  保存装置（Ｓｔｏｒａｇｅ  Ｅｑｕｉｐｍｅｎｔ）
１４０  ＳＩＭカード
【図１】
2006157913.tif 000004
【図２】
2006157913.tif 000005
【図３】
2006157913.tif 000006